(57)【特許請求の範囲】
【請求項１】
バーナ、熱交換器、排気ダクトを備える給湯器本体を収納し、排気ダクトの排気口を臨ませた開口部を備える外装ケースの上壁内面側に設けられ、前記給湯器本体の上端部に設けられた連結部材を連結することにより前記外装ケースの内部に前記給湯器本体を支持する外装ケースの給湯器本体支持用ブラケットにおいて、
前記外装ケースの上壁内面側に固定される矩形板状の基板と、該基板の前端縁に下方に向かって連設され、前記給湯器本体の連結部材を連結する矩形板状の連結部と、前記基板の側縁に下方に向かって連設され、該連結部の後方への折れ曲がりを規制する矩形板状の一対の規制板とを備えることを特徴とする外装ケースの給湯器本体支持用ブラケット。
【発明の詳細な説明】
【０００１】
【発明の属する技術分野】
本発明は、給湯器本体を収納する外装ケースに設けられて、給湯器本体を外装ケースの内部に支持する外装ケースの給湯器本体支持用ブラケットの改良に関する。
【０００２】
【従来の技術】
一般に、給湯器は、バーナ、熱交換器、排気ダクト等によって構成される給湯器本体が外装ケースに収納されている。外装ケースは、例えば、前側が開放された直方体状のケース本体と、該ケース本体の開放部分を覆う前面パネルとによって構成されており、給湯器本体をケース本体に収納した後に、前面パネルによって閉塞される。
【０００３】
ケース本体には、その内部に給湯器本体を支持するための給湯器本体支持用ブラケットが設けられており、給湯器本体側に取り付けられている連結部材を該ブラケットに連結することによって、給湯器本体をケース本体内部に支持する。
【０００４】
従来、この種のブラケット５０は、図４に示すように、金属製板材を折り曲げることによって形成されており、図５に示すように、ケース本体５１の上壁内面側にビス５２によって固定される矩形状の基板５３と、該基板５３の前側端縁の全長に亘って連続して直角に下方に折り曲げ延設された連結部５４とによって構成されている。図４及び図５に示すように、基板５３にはビス５２を挿着するための複数の貫通孔５５が形成されており、連結部５４には、給湯器本体Ｗ側に取り付けられている連結部材５６がビス５７を介して螺着されるビス孔５８が形成されている。一方、図５に示すように、給湯器本体Ｗはその上部側に排気ダクトＸを備えており、前記連結部材５６は該排気ダクトＸの上部位置に取り付けられている。そして、ケース本体５１内に収納された給湯器本体Ｗは、その連結部材５６をブラケット５０の連結部５４にビス５７を介して連結することによって支持される。なお、ケース本体５１には、前記前面パネル５９が取り付けられる。該前面パネル５９には、給湯器本体Ｗの排気ダクトＸに連設された排気口部材の排気口Ｙを臨ませる開口部６０が形成されている。
【０００５】
しかし、前記ブラケット５０によって内部に給湯器本体Ｗを支持した外装ケース６１が輸送時等に転倒した場合に、ブラケット５０の連結部５４が後方（基板５３に重合する方向）に向かって折れ曲がり、図５に仮想線（２点鎖線）で示するように、給湯器本体Ｗが外装ケース６１の背面側に位置ずれを起こすことがある。
【０００６】
そしてこのような給湯器本体Ｗの位置ずれが生じることによって、前面パネル５９の開口部６０の内側に排気口部材の排気口Ｙが没入して位置ずれを生じ、この位置ずれによって、該排気口Ｙの周縁部に設けられたドレーン抜き穴（図示せず）を介して該排気口Ｙからの比較的高い温度の排気が前面パネル５９の開口部６０内周縁に当たり、前面パネル５９の開口部６０の塗装が劣化・剥離して錆が発生する不都合があった。
【０００７】
そこで、図５に仮想線（１点鎖線）で示するように、給湯器本体Ｗの背面に対向するケース本体５１の後壁内面に、給湯器本体Ｗの背面側に当接して給湯器本体Ｗの傾動を規制する大略コ字形の規制部材６２を取り付けておくことが考えられる。該規制部材６２によって、転倒しても給湯器本体Ｗの背面側が該規制部材６２に当接して規制されているため、開口部６０の内側に排気口部材の排気口Ｙが没入することが防止される。
【０００８】
【発明が解決しようとする課題】
しかし、ケース本体５１に前記規制部材６２を組付ける作業が製造工程において必要となり、工数が増加するので、製造効率が低下する不都合がある。それだけでなく、規制部材６２を設けることによって、部品点数が増加するのでコストが増加する不都合がある。
【０００９】
かかる不都合を解消して、本発明は、製造効率の低下やコストの増加をさせることなく、外装ケースに収納された給湯器本体の位置ずれを確実に防止することができる外装ケースの給湯器本体支持用ブラケットを極めて構造簡単に且つ安価に提供することを目的とする。
【００１０】
【課題を解決するための手段】
かかる目的を達成するために、本発明は、バーナ、熱交換器、排気ダクトを備える給湯器本体を収納し、排気ダクトの排気口を臨ませた開口部を備える外装ケースの上壁内面側に設けられ、前記給湯器本体の上端部に設けられた連結部材を連結することにより前記外装ケースの内部に前記給湯器本体を支持する外装ケースの給湯器本体支持用ブラケットにおいて、前記外装ケースの上壁内面側に固定される矩形板状の基板と、該基板の前端縁に下方に向かって連設され、前記給湯器本体の連結部材を連結する矩形板状の連結部と、前記基板の側縁に下方に向かって連設され、該連結部の後方への折れ曲がりを規制する矩形板状の一対の規制板とを備えることを特徴とする。
【００１１】
給湯器本体は、外装ケースに設けられた前記ブラケットによって支持される。該ブラケットは、基板の各端部に前記連結部と前記一対の規制板とが連設された構成であるので、例えば、金属製板材を材料として基板の前端縁を介して連結部を下方に折り曲げると共に、基板の両側端縁を介して各規制板を下方に折り曲げるだけで容易に形成することができ、部品点数を増加させることなく安価に形成することができる。
【００１２】
また、該ブラケットは、前記連結部が基板との境界を折目としてその後方（即ち、基板と重合する方向）へ折れ曲げられようとしたときに、前記規制板の一端縁が連結部の側面に突き当たって該連結部の折れ曲がり（傾動）が防止される。
【００１３】
これによって、例えば、輸送中の給湯器の倒れ等が生じた場合であっても、ブラケットの連結部を介して支持された給湯器本体が外装ケースの背面側へ移動することがないので、外装ケースの開口部に臨んだ状態にある排気ダクトの排気口の内側への没入が防止され、外装ケースの開口部周縁部の錆の発生を防止することができる。
【００１４】
そして、前記規制板を備えるブラケットを採用することによって、従来のような給湯器本体の背面側を当接支持するような部品を追加する必要がないので、部品取り付け作業等による製造効率の低下や、部品点数の増加によるコストの増加がなく、外装ケースに収納された給湯器本体の移動を確実に防止することができる。
【００１５】
【発明の実施の形態】
本発明の一実施形態を図面に基づいて説明する。図１は本実施形態における給湯器を一部破断して示す説明的斜視図、図２は本実施形態の要部を示す説明的断面図、図３は本実施形態の給湯器本体支持用ブラケットを示す斜視図である。
【００１６】
図１に示すように、給湯器１は、図示しないバーナやファン、一部図示した熱交換器２、及び排気ダクト３等によって構成された給湯器本体４が、外装ケース５に収納されている。該外装ケース５は、給湯器本体４を収容するケース本体６と、該ケース本体を前面側から覆う前面パネル７とによって構成されている。前面パネル７は、図２に示すように、ケース本体６の全端外周に設けられたフランジ部８にビス９を介して取り付けられている。また、前面パネル７には、給湯器本体４の一部を構成している排気ダクト３に連設された排気部材の排気口１０を臨ませる（本実施形態においては前方に突出させる）開口部１１が形成されている。更に、ケース本体６の背面側上部には、給湯器１を家屋の壁面等に取り付けるための取り付け金具１２ａが設けられている。
【００１７】
ケース本体６の内部には、給湯器本体支持用ブラケット１３を介して給湯器本体４が支持されている。該ブラケット１３は、図３に示すように、平板状の基板１４と、該基板１４の前端縁に連設されて後述する給湯器本体４の連結部材１５（図２参照）を連結する連結部１６とを備えている。更に、前記基板１４の左右側両端には、連結部１６に一端縁が対向するように設けられた舌片状の一対の規制板１７が連設されている。
【００１８】
該ブラケット１３は、金属製板材を折り曲げることによって形成され、具体的には、前記連結部１６及び各規制板１７は、基板１４との境界を折目として直角に下方に折り曲げることによって一体に形成されている。一対の規制板１７は、前記連結部１６に対して直角方向に基板１４の左右端縁に沿って延設されており、各規制板１７の一端縁が連結部１６に対向していることによって、連結部１６が基板１４との境界の折目を介して後方に折り曲げられようとしても、連結部１６の裏面が各規制板１７に付き当たって規制され、基板１４に対して直角とされた姿勢を維持することができる。
【００１９】
該ブラケット１３は、図２に示すように、ケース本体６の上壁内面にビス１８によって固定されている。該基板１４には、図３に示すように、図２示の前記ビス１８を挿着するビス孔１９が形成されている。なお、ビス孔１９はその外周に沿ってバーリング加工された筒状の突出部１９ａを備えている。該突出部１９ａは、ケース本体６の上部のビス１８が挿通する図示しない挿通孔に嵌着される。そして、前記ビス孔１９にビス１８を螺着することによって、図２に示すように、パイプシャフト取り付け金具１２ｂ、ケース本体６及びブラケット１３が一体に締結される。なお、本実施形態においては、ブラケット１３がケース本体６にビス１８によって固定されている例を示しているが、更に、図３に仮想線示する部分２３をスポット溶接することによってブラケット１３をケース本体６の上壁内面に固着することが好ましい。こうすることにより、ブラケット１３をケース本体６に一層強固に連結することができる。そして、ブラケット１３をケース本体６の上壁内面にスポット溶接する際には、ビス孔１９の外周の前記突出部１９ａをケース本体６の上部のビス１８が挿通する前記挿通孔に嵌着させることで容易に位置決めすることができる。
【００２０】
該ブラケット１３の前記連結部１６には、図３に示すように、ビス孔２０が形成されおり、図２に示すように、給湯器本体４の連結部材１５がビス２１を介して連結される。該連結部材１５は、給湯器本体４の排気ダクト３の上面にビス２２を介して取り付けられている。
【００２１】
そして図２に示すように、給湯器本体４をケース本体６に収めた後、該給湯器本体４の連結部材１５を、前記ブラケット１３の連結部１６にビス２１を介して連結する。これによって、給湯器本体４はブラケット１３を介してケース本体６内部に支持される。その後、前記前面パネル７を取り付けて給湯器本体４を外装ケース５に収納する。
【００２２】
このように、給湯器本体４は、前記ブラケット１３によってケース本体６の内部に支持されているので、例えば、輸送時に給湯器１が倒れて外装ケース５に衝撃を受けるといったことが生じて、給湯器本体４が図２中矢印ｚに示すケース本体６の背面側に移動し接近しようとしても、前記ブラケット１３の連結部１６が前記一対の規制板１７に突き当たって該連結部１６の傾動が規制され、給湯器本体４が外装ケース５の背面側に向かって移動することが防止される。また、前記ブラケット１３は、一対の規制板１７によって基板１４自体の歪みについても防止されるので、外装ケース５の内部において給湯器本体４の姿勢を所定の姿勢に確実に維持して強固に支持することができる。従って、給湯器本体４の移動によって生じる前面パネル７の開口部１１の内側への排気部材の排気口１０の没入が防止され、前面パネル７の開口部１１の錆の発生を防止することができる。
【図面の簡単な説明】
【図１】本発明の一実施形態における給湯器を一部破断して示す説明的斜視図。
【図２】本実施形態の要部を示す説明的断面図。
【図３】本実施形態の給湯器本体支持用ブラケットを示す斜視図。
【図４】従来の給湯器の一部を示す説明的断面図。
【図５】従来の給湯器本体支持用ブラケットを示す斜視図。
【符号の説明】
３…排気ダクト、４…給湯器本体、５…外装ケース、１０…排気口、１１…開口部、１３…給湯器本体支持用ブラケット、１４…基板、１５…連結部材、１６…連結部、１７…規制板。
【図１】
0003638788.tif 000002
【図２】
0003638788.tif 000003
【図３】
0003638788.tif 000004
【図４】
0003638788.tif 000005
【図５】
0003638788.tif 000006